(57)【特許請求の範囲】
【請求項１】
各種蓋に装着する落し込み取手について、蓋の脚部導入孔から挿入した蓋の内側の落し込み取手の脚部を、保持リング及び、保持リングの下の蓋に固定された耐力板の両方に摺動可能に挿通し、さらに脚部の端末にはストッパー部材を付け、落し込み取手の握持部を引き上げて蓋を開くとき、蓋の内側の脚部が上昇し、脚部に挿通された保持リングも脚部と保持リングとの圧着力(以下、圧着力とする)で上昇し、蓋の内面に保持リングは圧接し、圧着力を超える力で更に握持部を所定の高さまで引上げて蓋を開き、その後、握持部を手放し、蓋を閉じたとき、保持リングは下降し 耐力板で止まり、圧着力により握持部が、蓋の表面から所定の高さに保持でき、作業終了時には、圧着力を超える力で握持部を押し下げ、耐力板で止められている保持リング内を脚部が摺動・下降して、握持部を蓋の表面に戻すことができる落し込み取手保持装置。
【請求項２】
保持リングと蓋の内側の脚部との圧着力だけでは、蓋を持ち上げることができない場合において、落し込み取手の握持部を引き上げて蓋を開くとき、蓋の内側の脚部が上昇し、脚部に付けられた保持リングも上昇し、蓋の内面に圧接し、更に、脚部が上昇し、耐力板の底表面がストッパー部材により押圧され、圧着力及びストッパー部材の耐力板への押圧力（以下、押圧力とする）により、蓋が持ち上げられて開き、握持部を手放し蓋を閉じたときは、保持リングが、耐力板の上表面に止まり、握持部が、蓋の表面から所定の高さに保持でき、作業終了時には、圧着力を超える力で握持部を押し下げ、耐力板で止められている保持リング内を、脚部は摺動・下降し、握持部を蓋の表面に戻すことができる請求項１の落し込み取手保持装置。
【請求項３】
保持リングに、弾性ゴムを用いた請求項１又は請求項２のいずれかの落し込み取手保持装置。
【請求項４】
適宜保持リングを交換することができる請求項１から請求項３のいずれかの落し込み取手保持装置。
【請求項５】
保持リングの上表面及び／又は底表面に、補強フランジ又は補強連結プレートを付けた請求項１から請求項４のいずれかの落し込み取手保持装置。
【請求項６】
耐力板の裏表面を押圧するストッパー部材の上部に、ストッパー部材用の補強フランジ又は補強連結プレートを付けた請求項１から請求項５のいずれかの落し込み取手保持装置。
【請求項７】
請求項１から請求項６のいずれかの落し込み取手保持装置を蓋に直接装着することができる落し込み取手保持装置セット。
【請求項８】
落し込み取手の握持部が取付盤の表面と同じ又は表面より突出しないようにした請求項７の落し込み取手保持装置セット。
【発明の詳細な説明】
【技術分野】
【０００１】
本発明は、各種の蓋に使用される落し込み取手について、その取手の握持部を、蓋の表面より任意の高さに保持することができる落し込み取手保持装置に関する。
【背景技術】
【０００２】
各種蓋に使用される取手には、多くの機構や種類がある。その取手の１つとして、∩字型であって、取手の握持部の両端の脚部が、蓋に設けられた脚部導入孔を貫通し、蓋の内側の脚部の端末に係止部(以下、ストッパー部材とする。)が固定され、使用時には、取手の握持部が引上げられ、蓋の内側の脚部が上昇し、ストッパー部材が蓋の内面に圧接し、更に握持部が引き上げられてストッパー部材とともに蓋が開かれる落し込み取手がある。落し込み取手は、握持部が引き上げられている場合には、握持部は、蓋の表面から離れているが、手を離すと、当然ながら握持部は、蓋の表面に落下してしまう。蓋の開閉を連続的に行なう場合には、その都度、握持部を引上げなければならず、その作業には手間を要することとなる。
本発明者は、給排水設備、公害処理設備等の設計、施工更にそれらの修理・点検等を業とする会社を長年運営しているが、落し込み取手が装着されている蓋の開閉作業において、蓋の開閉時ごとに落し込み取手を引き上げる作業は手間がかかるだけでなく、引き揚げ作業するときに手を滑らせる危険性もあることを危惧していた。
本発明は、係る手間を省き、危険性を回避するため、落し込み取手について、連続する作業中に、その取手の握持部を蓋の表面より所定の高さに保持するようにしておき、作業終了時には握持部蓋の表面に戻して置くようにする装置である。
【０００３】
落し込み取手に関する先行技術としては、以下のような文献が見受けられる。
【０００４】
略細長矩形状の握持部材の裏面に互いに平行な二本の脚部を突設してなる取手蓋と、この取手蓋の握持部材を収納する収納凹所を上表面に凹設して床点検口の蓋体の底板に穿設した開口部に嵌合して装着される第一ケースと、この第一ケースに分離可能に連結され、上記取手蓋の握持部材を収納する収納凹所を裏面に凹設するとともに、上端に上記第一ケースの上端に突設した挾着フランジと協働して開口部周縁における底板を挾持する支持フランジを突設した第二ケースと、これら第一および第二ケースの収納凹所の底部に穿設した孔部を摺動可能に貫通する上記取手蓋の脚部の下端に着脱可能に装着され、該取手蓋の離脱を防止するストッパー部材とを有してなる床点検口の蓋体の取手（特許文献１）がある。
【０００５】
次に、溝、桝、地中筐などの地上、床面開口部に設けられる蓋体を開閉するために取付けられる取手について、蓋体に螺子、溶接などで固定する取手の枠体に、係止片を予め形成した把手を装着できるよう切欠を側辺より把手の脚片が挿通される透孔まで設け、枠体を把手の握りの収納溝の中心線にて左右対称となるよう２分割して製作し、枠体の収納溝の中央に設けた把手の裏面中央部より垂設した脚片が挿通する透孔を設けると共に収納溝の長手方向に対して斜めとなる把手の係止片が挿通できるスリットを穿設することなどにより、枠体と把手の組立てを容易とし、安価に提供する蓋体の取手（特許文献２）がある。
【０００６】
更に、握持部に垂下状態となる牽引部とを有した取手を所定の蓋に取り付けるための取手の受具であって、牽引部が抜け止めされた状態で挿通される取付盤と、この取付盤の上方側に設けられて取手の未使用時には握持部を受け支持する載置部とを有し、受け支持した際の握持部が蓋に対する所望位置となるよう蓋に固設される取手の受具であって、逆Ｕ字形を成して牽引部を２箇所有する蓋への取り付けが正確且つ容易に行うことができ、溝蓋の振動によっても取手による騒音の少ない状態で取り付けられる溝蓋に対する取手の受具（特許文献３）等がある。なお、先行技術文献では、握り部と記載されている場合もあったが、本願では、握持部と統一した。
【０００７】
上記各先行技術文献には、落し込み取手を床点検口の蓋体の取手として利用する方法、蓋体の取手として落し込み取手を容易に取り付ける方法、落し込み取手をセットとして蓋への取り付けを行なう方法等の発明が開示されているが、本願の課題である、落し込み取手について、連続する作業中に、その取手の握持部を蓋やドアの表面より任意の高さに止め、その位置に留めるようにする方法や装置等は開示されていない。また、インターネット上においても、商品としての落し込み取手の照会は多く見受けられるが、本願の課題のような装置は見当たらなかった。
【先行技術文献】
【特許文献】
【０００８】
【特許文献１】実開昭６２−１４０４４号公報
【特許文献２】特開平１０−１２１５６１号公報
【特許文献３】特開２０００−２８２５５９号公報
【発明の概要】
【発明が解決しようとする課題】
【０００９】
本願の解決しようとする課題は、落し込み取手が付いた蓋を連続して開閉する場合、落し込み取手の握持部をその都度引上げなければならず、手間を要することとなるため、その握持部を蓋の表面から所定の高さに保持し、作業が終了した場合には、握持部を蓋の表面に戻すことができるようにするものである。
【課題を解決するための手段】
【００１０】
前記課題を解決するため、本発明は、以下のような落し込み取手保持装置を発明した。
【００１１】
先ず、第１発明は、各種蓋に装着する落し込み取手について、蓋の脚部導入孔から挿入した蓋の内側の落し込み取手の脚部を、保持リング及び、保持リングの下の蓋に固定された耐力板の両方に摺動可能に挿通し、さらに脚部の端末にはストッパー部材を付け、落し込み取手の握持部を引き上げて蓋を開くとき、蓋の内側の脚部が上昇し、脚部に挿通された保持リングも脚部と保持リングとの圧着力(以下、圧着力とする)で上昇し、蓋の内面に保持リングは圧接し、圧着力を超える力で更に握持部を所定の高さまで引上げて蓋を開き、その後、握持部を手放し、蓋を閉じたとき、保持リングは下降し 耐力板で止まり、圧着力により握持部が、蓋の表面から所定の高さに保持でき、作業終了時には、圧着力を超える力で握持部を押し下げ、耐力板で止められている保持リング内を脚部が摺動・下降して、握持部を蓋の表面に戻すことができる落し込み取手保持装置である。
【００１２】
各種蓋としたのは、蓋には、マンホール、暗渠、水槽、地中筐等の地上、床面に設けられる金属製、グラスファイバー製等の蓋を表現するためである。
落し込み取手とは、前述のように、∩字型であって、脚部は一対であって、取手の握持部の両端の脚部が蓋に設けられた脚部導入孔を貫通し、蓋の内側の脚部の端末にストッパー部材が固定され、使用時には、取手の握持部が引上げられ、蓋の内側の脚部が上昇し、ストッパー部材が蓋の内面に圧接し、更に握持部が引き上げられてストッパー部材とともに蓋が開かれる落し込み取手である。
【００１３】
図１に、市販品の落し込み取手の例を示す。図１は、インターネット上から見出したものである。
図１の（1）図では、落し込み取手２の脚部２２には、ねじ山が形成され、ナットとワッシャーによりストッパー部材２３が構成されている。図１の（２）図では、ナットとワッシャー及びプレートによりストッパー部材２３が構成されている。
図１の（３）図では、落し込み取手が一体として構成され、落し込み取手２の握持部２１が凹部に埋め込まれている。なお、落し込み取手を∩字型と表現したが、図１の（3）のように、∩字型ではなく、開口部がない環状型でストッパー部材２３を構成しているものもある。ただし、本願では保持リングを適宜交換するため、∩字型の落し込み取手の方が作業性がよい。
【００１４】
図２は、本願発明の落し込み取手保持装置の未使用時の断面概略図である。また、落し込み取手の握持部や脚部を略して、以下、握持部、脚部とする。
図２の（１）は、握持部２１が蓋１の表面１０１に置かれている未使用時の状態である。蓋１は、蓋が付けられる外周部１０に置かれている。  脚部２２は、脚部導入孔１１を通り、蓋の内側の脚部２２２は、保持リング４と、その下の蓋に取り付けられた耐力板３の両方を挿通し、最下部にはストッパー部材２３が付けられている。保持リング４の底表面４０２は、 耐力板３の上表面３０１に置かれている。
図２の（２）は、保持リング４の上表面４０１、底表面４０２及び 耐力板３の上表面３０１、裏表面３０２を表した図である。
【００１５】
保持リング４は、その中心に脚部２２が挿通される孔が空けられているが、脚部が容易に挿通される孔径では、圧着力が生じない、また孔径が狭すぎると脚部がその内部を摺動できない。保持リングの孔径は、脚部の径との調整が必要である。 耐力板３に開けられる図示しない脚部の挿通孔の径は、脚部の径より大きくし、圧着力は生じないようにする。同様に、蓋１の脚部導入孔１１と脚部との圧着力も生じないようにする。
【００１６】
図３は、落し込み取手２の握持部２１を所定の高さまで引上げた図である。蓋１は、蓋１が置かれていた外周部１０より持ち上げられている。蓋１を押さえながら握持部２１を引上げると、蓋の内側の脚部２２２と保持リング４は上昇し、保持リング４は、蓋の内面１０２で止まる。保持リング４と蓋の内側の脚部２２２との圧着力(以下、圧着力とする)が、蓋１の重量より大きい場合には、そのまま握持部を引上げると蓋を開くことができる。
【００１７】
図４は、落し込み取手の握持部を手放したときの断面概略図である。蓋１は、蓋が付けられる外周部１０に置かれているが、握持部２１は、所定の高さに保持される。握持部２１を手放すと、握持部２１は落下するが、保持リング４は、 耐力板３の上表面３０１で止まり、握持部２１は、蓋１より所定の高さに保持することができる。図４の状態では、握持部２１を握りやすくなり、蓋１の開閉が容易に行なうことができる。作業が終了すれば、握持部２１を、圧着力を越える力で下方に向け押し下げていく。保持リング４は耐力板３に止められているため、脚部２２は保持リング４の内部を摺動・下降し、握持部２１は、蓋１の表面１０１に置き戻され、図２の（１）の状態となる。
【００１８】
第１発明では、保持リング４と蓋１の内側の脚部２２２との圧着力が蓋の重量を上回り圧着力で蓋が開く場合である。この場合、ストッパー部材２３は、蓋１が重く、保持リング４内を脚部２２が摺動した場合、脚部２２から蓋１が抜け落ちないための安全用として機能する。マンホール、暗渠等の蓋は金属製で重量があり、圧着力だけでは、蓋を持ち上げることができない。そこで、 耐力板３は、保持リング４の落下を止めるだけでなく、ストッパー部材２３と 耐力板３の裏表面３０２と押圧力により、重量のある蓋を開けることができるようにしたのが第２発明である。
【００１９】
すなわち、第２発明は、保持リングと蓋の内側の脚部との圧着力だけでは、蓋を持ち上げることができない場合において、落し込み取手の握持部を引き上げて蓋を開くとき、蓋の内側の脚部が上昇し、脚部に付けられた保持リングも上昇し、蓋の内面に止まり、更に、脚部が上昇し、耐力板の底表面がストッパー部材により押圧され、圧着力及びストッパー部材の耐力板への押圧力（以下、押圧力とする）により、蓋が持ち上げられて開き、握持部を手放し蓋を閉じたときは、保持リングが、耐力板の上表面に止まり、握持部が、蓋の表面から所定の高さに保持でき、作業終了時には、圧着力を超える力で握持部を押し下げ、耐力板で止められている保持リング内を、脚部は摺動・下降し、握持部を蓋の表面に戻すことができる第１発明の落し込み取手保持装置である。
【００２０】
第２発明の落し込み取手保持装置の構造は第１発明のそれと同じである。しかし、蓋が重く、保持リングと蓋の内側の脚部との圧着力だけでは、蓋が開けられない場合が、第２発明の落し込み取手保持装置である。脚部に付けられた保持リングは、脚部と共に上昇し、蓋の内面に圧接する。更に、握持部を引上げていくと、蓋の重みにより、脚部は、蓋の裏面に圧接された保持リング内を摺動し、脚部は上昇し、脚部の下部に付けられたストッパー部材が 耐力板の底表面を押圧する。そして、保持リングと蓋の内側の脚部との圧着力及びストッパー部材の耐力板底表面への押圧力により蓋が持ち上げられる。握持部を手放し、蓋を閉じたときでも、保持リングが、耐力板の上表面に止まり、握持部は、蓋の表面から所定の高さに保持されることになる。作業終了時には、握持部を押し下げていくと、保持リングは耐力板の上表面で止められ、更に握持部を押し下げていくと、蓋の内側の脚部は保持リング内を滑りながら下降し、握持部を蓋の表面に戻すことができる。
【００２１】
耐力板は、第１発明では、保持リングの落下を防ぎ、握持部を下降させるときに、保持リングを止めて、保持リング内を蓋の内側の脚部が摺動・下降させる機能であるが、第２発明では、それだけではなく、蓋を押し上げる力も働く。そのため、 耐力板は、蓋の重量に負けない強度が必要である。 耐力板は、蓋に強く固定されていることが必要である。 耐力板は蓋に固定されるが、固定方法として蓋が金属であれば蓋と溶接することもできれば、ビス止め、溶着等各種の方法が考えられる。
【００２２】
また 耐力板に開けられる蓋の内側にある脚部の挿通孔は、脚部との圧着力はなく、上下に移動する脚部の軌道を一定にする機能も備えている。さらに、後述するが、保持リングは適宜交換するため、 耐力板の高さは、保持リングの高さより 高いことが必要である。
【００２３】
図５は、脚部と保持リングの圧着力及びストッパー部材での押圧により蓋を持ち上げた断面概略図であり、図６は、図５の状態から、蓋が付けられる外周部に蓋を置いたときの断面概略図である。
落し込み取手２の握持部２１を引上げていくと、脚部２２、保持リング４は上昇する。保持リング４は、蓋の内面１０２に圧接されるが、更に握持部を引上げていくと、脚部２２は保持リング４内を摺動し、ストッパー部材２３が、 耐力板３の裏表面３０２に押圧され、更に握持部２１を引上げると、蓋１は、蓋１が付けられる外周部１０から持ち上がる。蓋１が持ち上げられた状態が図５である。
次に、蓋１を蓋の外周部１０に置くと、蓋１の重さは蓋の外周部１０にかかるが、保持リング４は、 耐力板３の上表面４０１に止められ、握持部２１は蓋より所定の高さに保持することができる。作業が終了したときには、圧着力を超える力で握持部２１を押し下げていき、前述と同様に握持部２１が蓋１の表面１０１に置かれることとなる。
ストッパー部材２３は、脚部２２の下部に、ねじ山を付け、ナット、ワッシャー及びゆるみ止めで構成するのもよく、蓋の重量に耐える構造であればその構成は問わない。
【００２４】
続いて、第３発明は、保持リングに、弾性ゴムを用いた第１発明又は第２発明のいずれかの落し込み取手保持装置である。
【００２５】
本装置は、脚部２２と保持リング４との圧着力も必要とする。しかし、圧着力が高すぎると、脚部２２が保持リング４内を摺動させることが難しくなる。一方、圧着力が低い場合には、保持リング４が 耐力板３にて止められても、脚部２２は下方に摺動してしまい、握持部２１を蓋の表面から所定に高さに保持することができない。
【００２６】
こうした機能を有する材料として、弾性ゴムがある。弾性ゴムとは、天然ゴムや合成ゴムのような有機高分子を主成分とする一連の弾性限界が高く弾性率の低い材料をいう。さらに、ゴムは、脚部が挿通することにより圧着力がより生じやすいためである。
【００２７】
続いて、第４発明は、適宜保持リングを交換することができる第１発明から第３発明のいずれかの落し込み取手保持装置である。
【００２８】
保持リング４は、脚部２２が挿通され、握持部２１の引上げ、押し下げに伴い、脚部２２がその内部で摺動される。又、握持部２１の引上げ、押し下げに伴い蓋１の内面１０２に圧接され、 耐力板３に止められ、各種の力が掛かり、変形されやすい。また、蓋１の重量によっては、圧着力を変えるためにも保持リングの材質を変える必要がある。
そこで、保持リングは、適宜交換しようとするものである。適宜としたのは、保持リングの変形、脚部との圧着力などによる材質の交換等、その時に応じて交換することにしたものである。
【００２９】
図７の（１）、（２）、（３）は、保持リング４の交換するときの図である。（１）にて、脚部２２からストッパー部材２３を外し、（２）にて、握持部２１を引き上げ、脚部２２の下部を蓋１の内面１０２に圧接させ、更に握持部２１を引上げれば保持リング４を脚部２２から外すことができる。（３）にて、新しい保持リング４を 耐力板３の上表面３０２に脚部２２と保持リング４に開けられた図示しないが孔との位置合わせをしながら握持部２１を押し下げれば、新しい保持リング４に交換することができる。さらに、握持部２１を押し下げてストッパー部材を再度固定する。尚、図７では片方の脚部２２しか図示していないが、脚部２２は、図２等のように一対である。
【００３０】
続いて、第５発明は、保持リングの上表面及び／又は底表面に、補強フランジ又は補強連結プレートを付けた第１発明から第４発明のいずれかの落し込み取手保持装置である。
【００３１】
落し込み取手２の付いた蓋１を持ち上げるには、先ず、握持部２１を引き上げるが、保持リング４は蓋１の内面１０２に止められ、さらに 蓋の重量により、耐力板３の上表面３０１から押圧される。また、作業終了時には、握持部２１を押し下げ、保持リング４内を脚部が摺動・下降し、耐力板３に押圧される。この押圧力は、蓋１の重量より大きく、保持リング４の上表面４０１、裏表面４０２には、この押圧力がかかり、変形しやすくなる。そこで、単位面積当たりの押圧力を軽減するため、保持リングの上表面４０１及び／又は底表面４０２に、保持リングの上表面４０１、底表面４０２より面積の広い、補強フランジ４１又は補強連結プレート４２を付け、保持リング４を保護するものである。
上表面４０１及び／又は底表面４０２とは、上表面４０１と底表面４０２の両方に、又は、上表面４０１か底表面４０２のいずれかの面という意味である。
フランジとは、円筒形あるいは部材からはみ出すように出っ張った部分の総称をいうが、ここでは保持リング４の上表面、底表面の面積より広く、押圧力に耐える材料でできたものをいい、補強フランジ４１とする。又、補強連結プレート４２とは、保持リング４の上表面４０１、底表面４０２の面積より広く、２つの挿通孔を開け、一対の脚部２２を挿通し、一対の脚部を１枚のプレートで連結したプレートである。
【００３２】
図８の（１）において、保持リング４の上表面４０１、底表面４０２に補強フランジ４１が付けられているが、図８の（２）に示すように、一対の脚部に連結する補強連結プレート４２としてもよい。図８の（２）においては、 耐力板３は、その左右が開口部となり、補強連結プレート４２が一対の脚部２２を連結している。
【００３３】
続いて、第６発明は、耐力板の裏表面を押圧するストッパー部材の上部に、ストッパー部材用の、補強フランジ又は補強連結プレートを付けた第１発明から第５発明のいずれかの落し込み取手保持装置である。
【００３４】
ストッパー部材２３にも蓋の重量等の力が掛けられる。そこで、 耐力板３の裏表面３０２に押圧するストッパー部材２３の上部にストッパー部材用の補強フランジ２３１又は補強連結プレート２３２を付けるものである。フランジ、補強連結プレートは、保持リングのそれと同じである。
なお、図９の（１）に、ストッパー部材２３の補強フランジ２３１が示され、同（２）に、補強連結プレート２３２を示す。
【００３５】
続いて、第７発明は、第１発明から第６発明のいずれかの落し込み取手保持装置を蓋に直接装着することができる落し込み取手保持装置セットである。
【００３６】
第１発明から第６発明の落し込み取手保持装置は、蓋に耐力板３を付け、蓋に脚部導入孔１１を開け、落し込み取手を挿入し、保持リング４やストッパー部材２３等の各部品を装着して組み立てるものである。この組立方法では、手間がかかるため、各部品が予め組み込まれた落し込み取手保持装置セットとして作製し、蓋やドアに直接組み込まれることが望ましい。これらの部品等が組み込まれたものを落し込み取手保持装置セットとする。
直接装着することができるとしたのは、各部品を蓋に装着して落し込み取手とするのではなく、落し込み取手保持装置セットを使用すれば、直接蓋に装着できることを表現したものである。
【００３７】
図１０は、落し込み取手保持装置セット５の断面概略図である。取付盤５１に 耐力板３が固定されている。取付盤５１に脚部が挿通する脚部挿通孔５５を開け、落し込み取手２の脚部２２を通し、続けて、保持リングの補強フランジ４２、保持リング４、保持リングの補強フランジ４２を通し、図示しない 耐力板３の脚部挿入孔を通した後、脚部最下部にストッパー部材２３の補強フランジ２３１とストッパー部材２３が固定されている。
蓋に装着するための接合孔５２を開け、固定金具５６を用い、落し込み取手保持装置セット５を蓋に装着するものである。
【００３８】
続いて、第８発明は、落し込み取手の握持部が取付盤の表面と同じ又は表面より突出しないようにした第７発明の落し込み取手保持装置セットである。
【００３９】
落し込み取手の握持部が、取付盤より突出している、すなわち蓋の表面より突出していると、握持部が破損したり、握持部に躓き、思わぬ怪我を起こすことになる。そこで、落し込み取手の握持部を取付盤の表面と同じ高さとするか、それ以下の高さにして、こうした事態を防ぐものである。握持部が突出しないようにするため、取付盤に凹状の溝を掘りそこに握持部を収納するようにする。この溝の付いた落し込み取手保持装置セットを、溝付落し込み取手保持装置セットとする。
【００４０】
図１１に溝付落し込み取手保持装置セット５の平面概略図を示す。取付盤５１には、凹状に溝５３が掘られ、左右には脚部挿通孔５５が開けられ、握持部２１が収納される。また、溝５３には握持部２１を握持し易くするため、取付盤の握持用孔５４がやや深く掘られている。
【００４１】
図１２に溝付落し込み取手保持装置セットが蓋に装着された断面概略図を示す。蓋１と取付盤５１は、接合孔５２を通し、 蓋と取付盤との固定金具５６により装着されている。他は図１１と同じである。
【００４２】
落し込み取手保持装置、落し込み取手保持装置セット及び溝付落し込み取手保持装置セットは、落し込み取手保持装置としての機能があれば足り、上記の部品、装着方法及び図面に記載に限定するものではない。
【発明の効果】
【００４３】
第１発明、第２発明では、落し込み取手が付いた蓋を連続して開閉する場合、その握持部を蓋やドアの表面より任意の高さに止め、その位置に留めるようにしておき、作業が終了した場合には、握持部を蓋やドアの表面に戻し、蓋の開閉の手間を軽減するものである。更に、保持リングと耐力板があるため、蓋を閉めるときに騒音が発生しない利点がある。第３発明から第６発明は、第１発明、第２発明の落し込み取手保持装置の耐久性、安全性向上させ、より使いやすくするものである。第７発明、第８発明は、落し込み取手保持装置をセットとして蓋に直接装着できるものであり、汎用性を増すものである。
【図面の簡単な説明】
【００４４】
【図１】図１は、インターネット上で見出した落し込み取手の市販品の図である。
【図２】図２は、落し込み取手の未使用時の断面概略図である。
【図３】図３は、落し込み取手の握持部を所定の高さまで引上げた断面概略図である。
【図４】図４は、落し込み取手の握持部の手放したときの断面概略図である。
【図５】図５は、脚部と保持リングの圧着力及びストッパー部材での押圧により蓋を持ち上げた断面概略図である。
【図６】図６は、図５の状態から、蓋を蓋が付けられる外周部に置いたときの断面概略図である。
【図７】図７は、保持リングを交換するときの図である。
【図８】図８は、保持リングを保護する補強フランジ及び補強連結プレートの図である。
【図９】図９は、ストッパー部材を補強するストッパー部材用の補強フランジ及び補強連結プレートの図である。
【図１０】図１０は、落し込み取手保持装置セットの断面概略図である。
【図１１】図１１は、溝付落し込み取手保持装置セットの平面概略図である。
【図１２】図１２は、溝付落し込み取手保持装置セットが蓋に装着された断面概略図である。
【図１３】図１３は、落し込み取手保持装置を装着した箱の試作品写真である。
【図１４】図１４は、試作品での握持部を引上げたときの断面写真である。
【図１５】図１５は、試作品での握持部を引上げたときの斜視写真である。
【図１６】図１６は、試作品での握持部押し下げたときの断面写真である。
【図１７】図１７は、試作品での握持部押し下げたときの斜視写真である。
【発明を実施するための形態】
【００４５】
本発明の実施例を以下に示す
【実施例】
【００４６】
図１３は、落し込み取手の試作品の図である。箱の蓋１に第１発明の落し込み取手２が装着されている。箱の重量は軽く、本試作品は、脚部と保持リングとの圧着力で蓋を持ち上げることができ、第１発明の落し込み取手保持装置に該当する。
【００４７】
図１４は、試作品の落し込み取手２の握持部２１を引き上げ時の断面図であり、図１５は引き上げ時の斜視図である。耐力板３は、蓋１にボルトとナットで取り付けられている。また、ストッパー部材２３は、ナットとワッシャーで構成されている。落し込み取手２の握持部２１の引き上げ時には、脚部部２２が上昇し、脚部に付けられた保持リング４が蓋１に止められ、保持リング４の内部を脚部２２は滑りながら更に引き挙げられ、保持リング４は、脚部２２の下部に移動する。この下部に移動した保持リング４は、握持部２１を離すと、耐力板３により保持され、握持部２１が蓋１の表面と所定間隔をおいて留まることとなる。
【００４８】
図１６は、落し込み取手の押し下げ時の断面写真であり、図１７は、落し込み取手２の引き上げ時の斜視での写真である。握持部２１が押し下げられるときには、ゴムでできた保持リング４は、耐力板３に止められ、保持リング４内を脚部２２が滑り、握持部２１は蓋１の表面に置かれる。
【産業上の利用可能性】
【００４９】
本発明は、日常の手作業に役立つものであり、容易に生産でき、単価も安いため、需要が期待される。
【符号の説明】
【００５０】
１蓋  １０  蓋が付けられる外周部  １０１（ 蓋の）表面  
１０２（ 蓋の）内面  １１ 脚部導入孔
２ 落し込み取手  ２１ 握持部  ２２ 脚部  ２２１（蓋の外側の）脚部
２２２（蓋の内側の）脚部  ２３ ストッパー部材  
２３１（ストッパー部材の）補強フランジ  
２３２（ストッパー部材の）補強連結プレート
３ 耐力板  ３０１（ 耐力板の）上表面  ３０２（ 耐力板の）裏表面
４ 保持リング  ４０１（保持リングの）上表面  
４０２（保持リングの）底表面  ４１（保持リングの）補強フランジ  
４２ （保持リングの）補強連結プレート
５ 落し込み取手保持装置セット  ５１  取付盤    ５２  接合孔
５３ （取付盤の）溝部    ５４（取付盤の）握持用孔  ５５  脚部挿通孔
５６  固定金具
【要約】
【課題】 落し込み取手が付いた蓋やドアを連続して開閉する場合、落し込み取手の握持部をその都度引上げなければならず、手間を要することとなるため、その握持部を蓋やドアの表面より任意の高さに止め、その位置に留めるようにしておき、作業が終了した場合には、握持部を蓋やドアの表面に戻すことができるようにするものである。
【解決手段】蓋やドア等に装着する落し込み取手について、蓋やドア等の内側の落し込み取手の脚部を、保持リング及び蓋やドア等に取り付けた耐力板に挿通させ、蓋やドア等の開閉時に、保持リングを滑らせて所定の位置に止め、握持部から手を離したときには、保持リングが耐力板に留まり、落し込み取手の握持部を蓋の表面より任意の高さに保持することができる落し込み取手保持装置である。
【選択図】図２【図１】
0005800377.tif 000002
【図２】
0005800377.tif 000003
【図３】
0005800377.tif 000004
【図４】
0005800377.tif 000005
【図５】
0005800377.tif 000006
【図６】
0005800377.tif 000007
【図７】
0005800377.tif 000008
【図８】
0005800377.tif 000009
【図９】
0005800377.tif 000010
【図１０】
0005800377.tif 000011
【図１１】
0005800377.tif 000012
【図１２】
0005800377.tif 000013
【図１３】
0005800377.tif 000014
【図１４】
0005800377.tif 000015
【図１５】
0005800377.tif 000016
【図１６】
0005800377.tif 000017
【図１７】
0005800377.tif 000018